(57)【要約】【課題】  従来と比較して比較的容易な構成でディスクを保持する際の騒音を低減することのできる光ディスク装置を提供する。【解決手段】  昇降部材の昇降により、ターンテーブル内に回転可能に支持された複数のチャック爪がディスクの保持／解除を行うクランプ機構と、昇降部材を下降させるための回転可能な昇降レバーと、ターンテーブルの中心と同軸を中心として回動可能に配置され、昇降レバーとギヤ部を介して連結する連結板と、連結板に係合する付勢バネとを備え、連結板の回動により、昇降レバーの先端がターンテーブルと昇降部材の間に割り込み、昇降版を下降させることにより、ディスクの保持解除をするようにした光ディスク装置１０であって、連結板がディスク保持方向に回動するように、付勢バネによって連結板を付勢した。【選択図】  図１
2006202407.tif 000002
【特許請求の範囲】
【請求項１】
昇降部材の昇降により、ターンテーブル内に回転可能に支持された複数のチャック爪がディスクの保持／解除を行うクランプ機構と、
前記昇降部材を下降させるための回転可能な昇降レバーと、
前記ターンテーブルの中心と同軸を中心として回動可能に配置され、昇降レバーとギヤ部を介して連結する連結板と、
前記連結板に係合する付勢バネとを備え、
前記連結板の回動により、前記昇降レバーの先端が前記ターンテーブルと前記昇降部材の間に割り込み、昇降板を下降させることにより、前記ディスクの保持解除をするようにした光ディスク装置であって、
前記付勢バネを、前記連結板がディスク保持方向に回動する向きに付勢する光ディスク装置。
【請求項２】
請求項１記載の光ディスク装置であって、
前記連結板と前記昇降レバーがギヤ部を介して係合する光ディスク装置。
【請求項３】
請求項１又は２記載の光ディスク装置であって、
前記昇降部材と接触する前記昇降レバーの先端にテーパが形成され、前記昇降部材が、前記テーパに摺接しながら上昇する光ディスク装置。
【発明の詳細な説明】
【技術分野】
【０００１】
本発明はＣＤ（Compact Disc）やDVD(Digital Versatile Disc)等の光ディスク装置に関し、特に、光ディスクのセンターホールをターンテーブル上に保持した光ディスク装置に関するものである。     
【背景技術】
【０００２】
従来、ディスクの記録・再生を行う光ディスク装置としては、ディスクをターンテーブルに手動あるいは着脱機構によって着脱するものが知られている（例えば特許文献１参照）。
図１３および図１４に示すように、光ディスク装置１００においてディスク１０１を保持して回転するターンテーブル１０２は、中央にディスク１０１の中心孔が嵌る円形の段付部１０２ａを有した全体円盤状をしている。このターンテーブル１０２は、回転駆動手段１０３の回転中心軸１０３ａと一体になって回転するように構成され、昇降部材１０４は、ターンテーブル1０２中央部の筒部1０５に外嵌されて上下方向に摺動可能に設置されている。
【０００３】
また、昇降部材1０４と回転駆動手段１０３の回転上面１０６との間にはバネ1０７が設けられており、昇降部材１０４を常時上方向に付勢している。昇降部材１０４の外側には作用部材１０８ａ，１０８ｂが回転中心軸１０３ａに向かって接近・離反可能に設けられており、図１３に示すように、作用部材1０８ａ，１０８ｂを昇降部材１０４とターンテーブル１０２の間に挿入させることにより、昇降部材１０４はバネ１０７の付勢カに反して下方向に移動するように構成されている。
【０００４】
また、ターンテーブル１０２の段付部１０２ａには、周方向に複数個のチャック爪装着孔１０２ｂを有しており、このチャック爪装着孔１０２ｂにはディスク１０１の中心孔を把持するチャック爪１０９が設けられている。これらチャック爪１０９にはその基端側に回転軸部１１１が設けられていて、ターンテーブル１０２にて支持されることにより垂直回り（図１３および図１４中矢印Ｘ１，Ｘ２方向）に回動する。チャック爪１０９の押圧係止部１１２は、昇降部材１０４に一様に形成された押圧部１１３にそれぞれ当接されている。
【０００５】
従って、図１３に示すように、この昇降部材１０４が作用部材１０８ａ，１０８ｂによる押圧を解除されてバネ１０７にて上方向に移動するとき、チャック爪１０９の押圧係止部１１２は昇降部材１０４の押圧部１１３によって押し上げられて、回転軸部１１１を支点として図１３中矢印Ｘ１方向に回動する。これにより、チャック爪１０９をチャック爪装着孔１０２ｂから突出させて、図１４に示すように、ターンテーブル１０２のディスクを載置させる面との間でディスク１０１を保持する構成となっている。なお、昇降部材１０４の下降によりチャック爪１０９を係止してチャック爪装着孔１０２ｂの内部に引き込むための収納突起１１４が、押圧部１１３に隣接して設けられている。
【特許文献１】特開２００２−３５２４９６号公報（第７頁、第３図）
【発明の開示】
【発明が解決しようとする課題】
【０００６】
しかしながら、従来の光ディスク装置１００においては、昇降部材１０４に対する作用部材１０８ａ，１０８ｂによる押圧を解除する際、作用部材１０８ａ，１０８ｂは、バネ１０７の付勢力による昇降部材１０４と作用部材１０８ａ，１０８ｂとの間の摩擦力を超える駆動力が発生した瞬間に動作する構成となっているため、昇降部材１０４には急激な負荷変動が発生し、バネ１０７の付勢力を直受して上方向への移動により回動された複数のチャック爪１０９がディスク１０１と急激に接触する。このため、ディスクを保持する際には、チャック爪１０９とディスク１０１による衝突音が発生し得た。
【０００７】
本発明は、従来の課題を解決するためになされたもので、簡単な構成でディスクを保持する際の騒音を低減することのできる光ディスク装置を提供することを目的とする。
【課題を解決するための手段】
【０００８】
本発明の光ディスク装置は、昇降部材の昇降により、ターンテーブル内に回転可能に支持された複数のチャック爪がディスクの保持／解除を行うクランプ機構と、前記昇降部材を下降させるための回転可能な昇降レバーと、前記ターンテーブルの中心と同軸を中心として回動可能に配置され、昇降レバーとギヤ部を介して連結する連結板と、前記連結板に係合する付勢バネとを備え、前記連結板の回動により、前記昇降レバーの先端が前記ターンテーブルと前記昇降部材の間に割り込み、昇降板を下降させることにより、前記ディスクの保持解除をするようにした光ディスク装置であって、前記付勢バネを、前記連結板がディスク保持方向に回動する向きに付勢する構成を有している。
【０００９】
この構成により、ディスクを保持して記録されている情報を再生する際には、ターンテーブルのディスク載置部にディスクの記録面を載せ、突出部をディスクの中空部を通ってラベル側に貫通させ、突出部からチャック爪を出してディスクを保持する。このとき、昇降レバーを回動させ、昇降部材が昇降レバーによる押圧を解除することによって、昇降部材がディスク保持バネの付勢力により上昇しチャック爪が回動してディスクを把持するが、昇降レバーを回動させる連結板には、付勢バネにより常に連結板がディスク保持方向に回動する向きに付勢されている。このため、昇降部材と昇降レバーとの間の接触摩擦力による急激な負荷変動を抑制することができ、昇降部材は昇降レバーの動作と連動しながらスムーズに上昇するので、チャック爪とディスクの急激な接触を回避することができる。これによりディスク保持の際の騒音を低減することができる。
【００１０】
また、本発明の光ディスク装置は、前記連結板と前記一対の昇降レバーがギヤ部を介して係合した構成を有している。
この構成により、連結板と一対の昇降レバーはギヤ部を介して係合しているので、昇降レバーの動作するタイミングズレを防止することができる。
【００１１】
さらに、本発明の光ディスク装置は、前記昇降部材と接触する前記昇降レバーの先端にテーパが形成され、前記昇降部材が、前記テーパに摺接しながら上昇する構成を有している。
この構成により、昇降部材が、昇降レバーの動作と連動しながら、昇降レバー先端のテーパに沿ってスムーズに上昇され、昇降部材と昇降レバーとの間の接触摩擦力により、急激な負荷変動が抑制される。
【発明の効果】
【００１２】
本発明は、昇降レバーを回動させる連結板に、付勢バネにより常に連結板がディスク保持方向に回動する向きに付勢するように構成することにより、チャック爪とディスクの急激な接触を回避することができるため、ディスク保持の際の騒音を低減することができるという効果を有する光ディスク装置を提供することができるものである。
【発明を実施するための最良の形態】
【００１３】
以下、本発明の実施の形態の光ディスク装置について、図面を用いて説明する。
本発明の第１の実施の形態の光ディスク装置を図１に示す。
図１には、本発明の実施の形態の光ディスク装置１０を内蔵するカーオーディオ装置１の全体斜視図が示されている。このカーオーディオ装置１では、光ディスク装置１０のほかにラジオ２、カセットテープ再生装置３等を内蔵しており、前面パネル４には、全機能に共用される表示部４ａや電源／ボリュームつまみ４ｂに加えて、光ディスク装置１０における開閉自在な蓋部１１ａを備えたディスク挿脱口１１、ラジオ用のチューニングつまみ２ａ、カセットテープ挿入口３ａ等が設けられている。また、内部には、ラジオ２、カセットテープ再生装置３、光ディスク装置１０等を制御する制御部が設けられている。
【００１４】
図２および図３には、カーオーディオ装置１に内蔵されている本発明の実施形態である光ディスク装置１０の、図１中II−II位置における断面図が示されている。
図２および図３に示すように、光ディスク装置１０は、矩形箱状の本体１３と、この本体１３内においてディスク１２を積層収納するための複数枚のトレイ１４と、本体１３内の所定高さ位置に固定された基台１５に設けられ所定のトレイ１４間を開閉する図示していないトレイ開閉手段と、基台１５に設けられている軸１６を中心に矢印Ａで示す方向に回動可能に支持された演奏部２０とを備えている。
【００１５】
演奏部２０は、軸１６を中心として回動する平板状の演奏シャーシ（以下、「サスシャーシ」と称す。）２１を有しており、このサスシャーシ２１にはディスク１２を保持して回転するクランプ機構３０を有している。また、サスシャーシ２１には、クランプ機構３０に保持され回転するディスク１２にアクセスすべく、サスシャーシ２１に沿って往復移動可能に支持されているピックアップ２２と、このピックアップ２２を移動させる駆動モータ２３およびリードスクリュ２３ａとを備えている。なお、サスシャーシ２１の軸１６の近傍には、略Ｙ字状のカム溝２４が形成されており、回動レバー２５に植設された回動駆動軸２６が係合している。
【００１６】
次に、図４から図１２に基づいて、クランプ機構３０を詳細に説明する。
クランプ機構３０はサスシャーシ２１の先端に設けられディスク１２を保持して回転するターンテーブル３１を有しており、ディスク１２の記録面１２ａ（図７参照）が載置可能な載置部３２と、この載置部３２からディスク１２の中空部１２ｃ（図２参照）を通過してディスク１２のラベル面１２ｂ（図７参照）側に突出可能な略円筒状の突出部３３と、この突出部３３の接線方向に沿う支軸３４を支点として回動することにより突出部３３の周面における複数個所（ここでは、例えば３箇所）のチャック爪装着窓３７からラベル面１２ｂに係合するように突没可能な複数のチャック爪３５と、突出部３３の軸線に沿って移動することにより各チャック爪３５の基端部３５ａを押圧する押圧部３６ａ（図８参照）が設けられた押圧部３６（図１０参照）とを備えている。
【００１７】
図５および図７に示すように、ターンテーブル３１の筒部３８には、載置部３２と垂直な方向（図面の上下方向）に摺動可能に設置された昇降部材４０が外嵌されており、この昇降部材４０と回転モータ３９の上面３９ｂとの間には昇降部材４０を上方に付勢するクランプバネ４３が設けられている。ターンテーブル３１と昇降部材４０との間には、昇降部材４０をバネ４３の付勢力に反して下降させるための昇降レバー４５Ｌ，４５Ｒが挿入可能に設けられている。昇降レバー４５Ｌ，４５Ｒは、サスシャーシ２１の先端部においてターンテーブル３１を挟んで対向する位置に一対設けられており、各々回動中心４６を中心軸としてサスシャーシ２１に回動可能に設けられている。なお、昇降レバー４５Ｌ，４５Ｒの先端は、テーパ４５ａが設けられており、このテーパ４５ａは、昇降レバー４５Ｌ、４５Ｒが回動中心４６を中心軸として回動するとターンテーブル３１と昇降部材４０との間に挿入して昇降部材４０を下降させるようになっている。
【００１８】
サスシャーシ２１の先端部下面には、左右の昇降レバー４５Ｌ，４５Ｒを連結する連結板４７が、ターンテーブル３１の中心と同軸を中心として回動可能に設けられており、左右両端部にはギヤ部４７Ｌ，４７Ｒが設けられている。このギヤ部４７Ｌ，４７Ｒは、各々左右の昇降レバー４５Ｌ，４５Ｒの下部外周面に設けられているギヤ部４８Ｌ，４８Ｒに係合している。
一方、サスシャーシ２１の上面には駆動レバー４９が長手方向に沿って移動可能に設けられており、ターンテーブル３１方向側の先端にはカム溝４９ａ（図４，図５，図７，図１１参照）が設けられていて、連結板４７に設けられている駆動軸４７ａに移動自在に嵌入している。
また、他端には、略Ｔ字状のカム溝４９ｂ（図４，図１１参照）が形成されており、回動レバー２５に植設された回動駆動軸２６がサスシャーシ２１上の略Ｙ字状のカム溝２４とともに係合している。
【００１９】
図６および図８に示すように、ターンテーブル３１の中心には回転中心方向に筒部３８が設けられており、この筒部３８の内部には中心軸貫通穴３８ａが貫通して設けられている。この中心軸貫通穴３８ａには、回転駆動手段としての回転モータ３９の回転軸３９ａが嵌着されており、回転モータ３９によりターンテーブル３１が回転駆動されるようになっている。
【００２０】
また、ターンテーブル３１の筒部３８には、載置部３２と垂直な方向（図面の上下方向）に摺動可能に設置された昇降部材４０が外嵌されており、この昇降部材４０と回転モータ３９の上面３９ｂとの間には昇降部材４０を上方に付勢するクランプバネ４３が設けられている。ターンテーブル３１の突出部３３側面には、周方向に等間隔（例えば中心角度１２０度）でチャック爪装着窓３７が設けられており、チャック爪３５が出没自在に設けられている。
【００２１】
図９に示すように、チャック爪３５の下部には支軸３４が設けられており、この支軸３４の近傍には下方に突出する基端部３５ａが設けられている。チャック爪３５の本体中央内部には、段付き溝部３５ｂが形成されている。
【００２２】
また、図５および図１０に示すように、昇降部材４０はその中央に内壁４１ａと外壁４１ｂからなる二重壁構造の円筒部４１が一体的に形成されており、内壁４１ａの内側にはターンテーブル３１の筒部３８に外嵌する貫通穴部４２が形成されている。また、内壁４１ａと外壁４１ｂとの間には、クランプバネ４３を保持するための保持溝４１ｃが形成されており、円筒部４１の最外周には、先端に係止部４４ａを持ち下端部に屈曲部４４ｂ（図１０参照）を有する収納突起４４が、チャック爪３５の設置個所に対応して設けられている。収納突起４４の係止部４４ａは、昇降部材４０が下降する際にチャック爪３５の段付き溝部３５ｂを係止して、チャック爪３５を支軸３４回りに回動させてチャック爪装着窓３７の内側へ引き込むようになっている。
【００２３】
図１０に示すように、収納突起４４の左右近傍には、昇降部材４０の上昇に伴ってチャック爪３５の基端部３５ａを押圧し、チャック爪３５を支軸３４周りに回動させて、チャック爪装着窓３７からチャック爪３５を突出させる押圧部３６が設けられている。
【００２４】
また、連結板４７の一端には、付勢バネ５０の動作端５１ａが係合する溝部４７ｂが形成されており、図７（Ｃ）に示すように、付勢バネ５０の動作端５１ａとは反対側の固定端５１ｂがサスシャーシ２１に一体に形成された壁部２１ａの貫通穴に係合している。これにより、付勢バネ５０の弾性力が作用し、連結板４７は常に時計方向へと付勢されている。
【００２５】
図１１に示すように、駆動レバー４９は、サスシャーシ２１の長手方向（図４の左右方向）に沿う長尺部材で形成され、ターンテーブル３１方向側の一端にカム溝４９ａが形成され、他端に略Ｔ字状のカム溝４９ｂが形成されている。図４に示すように、カム溝４９ａ内には、連結板４７の駆動軸４７ａが係合している。連結板４７は、駆動レバー４９のカム溝４９ａに係合した駆動軸４７ａを介して図４の時計方向へ回動可能な構成としている。
【００２６】
一方、駆動レバー４９のカム溝４９ｂは、回動レバー２５に植設された回動駆動軸２６に係合している。この回動駆動軸２６は、サスシャーシ２１上に形成されたカム溝２４にも同時に係合している。つまり、下側から回動レバー２５、駆動レバー４９、サスシャーシ２１の順で積層された部材の略Ｔ字状のカム溝４９ｂ、略Ｙ字状のカム溝２４に、回動駆動軸２６が下側から貫通して係合されている。
【００２７】
このような係合構造とすることで、回動レバー２５は、回動駆動軸２６を介して、サスシャーシ２１のスイングと、駆動レバー４９の図４中Ｐ方向への移動を共に可能としている。すなわち、回動レバー２５が回動されると、まず回動駆動軸２６を介してカム溝部２４が押圧され、サスシャーシ２１がスイングされる。演奏部２０のスイングが完了すると、今度はさらに回転される回動駆動軸２６が、カム溝２４の長溝に形成されたカム溝部２４ａ内を移動し、サスシャーシ２１の姿勢を保持させたまま、カム溝４９ｂを押圧して、駆動レバー４９をディスク１２の中心方向（図４中Ｐ方向）へ移動されるようにしている。このように回動レバー２５の一連の動作により、サスシャーシ２１の回動動作からディスク保持動作への移行をタイミングよく行うことができるようになっている。
【００２８】
図１２に示すように、サスシャーシ２１の軸１６の近傍には上記した略Ｙ字状のカム溝２４が形成され、カム溝２４は２つに分かれるＹ字の一方が短溝に形成され、他方が長溝（カム溝部２４ａ）に形成される。カム溝２４は、回動レバー２５の回動駆動軸２６を、カム溝部２４ａ内に沿って移動させることで、スイングの完了したサスシャーシ２１の姿勢を保持させたまま、駆動レバー４９の図４中Ｐ方向へ移動の移動を可能としている。
【００２９】
以上のように構成された光ディスク装置１０におけるディスク１２の再生動作について説明する。
まず、トレイ開脚手段によって所定のトレイ１４間を開く。次に、図示せぬ駆動源により回動レバー２５を図２の矢印Ａ方向に回動させることにより、サスシャーシ２１上に形成されたカム溝２４と回動駆動軸２６により、サスシャーシ２１を図２に示す待機位置から図３に示す再生位置まで軸１６を中心に矢印Ａ方向に回動させる。
【００３０】
これにより、サスシャーシ２１を所定のトレイ１４間に挿入する。さらに駆動レバー４９をディスク中心方向へ移動させることで図３に示すような再生可能状態となり、クランプ機構３０によりディスク１２を保持する。ディスク１２を回転させるとともにピックアップ２２をサスシャーシ２１に沿って移動させながら、ディスク１２に記録されている情報を再生する。
【００３１】
ここで、複数のチャック爪３５はターンテーブル３１にディスク１２が搭載される前、チャック爪装着窓３７の内側に格納されている。この状態でディスク１２がターンテーブル３１の載置部３２に搭載されると、図示せぬ駆動手設により、回動レバー２５をさらに回動させる。すると、回動駆動軸２６と駆動レバー４９に形成されたカム溝４９ｂにより、駆動レバー４９がディスク１２の中心方向（図４中Ｐ方向）へ移動を開始する。
【００３２】
このとき、サスシャーシ２１上のカム溝２４内においては、回動駆動軸２６は回動レバー２５の軌道上に形成されたカム溝部２４ａ（図１２参照）を通過しているため、サスシャーシ２１は姿勢を保ったまま移動することはなく、ディスク保持動作に必要な、駆動レバー４９のみの移動が可能となり、回動レバー２５の一連の動作によりサスシャーシ２１の回動およびディスク保持動作を行うことができる。
【００３３】
これにより、連結板４７の駆動軸４７ａが駆動レバー４９のカム溝４９ａの端面に当接して、連結板４７を時計方向へ回動させ、連結板４７のギヤ部４７Ｌ，４７Ｒと昇降レバー４５Ｌ，４５Ｒのギヤ部４８Ｌ，４８Ｒにより動力が伝達され、両昇降レバー４５Ｌ，４５Ｒをターンテーブル３１の中心から離れる方向（図５（Ａ）中矢印Ｓ方向）へ回転させる。これにより、両昇降レバー４５Ｌ，４５Ｒをターンテーブル３１と昇降部材４０との間から離脱させ、昇降部材４０はバネ４３の付勢力により上昇する。
【００３４】
このとき、図６に示すように、昇降部材４０の上昇に伴って押圧部３６（図１０参照）の押圧部３６ａ（図８参照）が、複数のチャック爪３５の基端部３５ａに当接して押し上げるので、複数のチャック爪３５は支軸３４を中心として図６中矢印Ｘ１方向に回転して、チャック爪装着窓３７から突出して、ディスク１２を把持することができる（図８参照）。
【００３５】
ここで、昇降レバー４５Ｌ，４５Ｒを回動させる連結板４７は予め付勢バネ５０により常に連結板４７が時計方向に回動する方向に付勢されているため、昇降部材４０が、昇降レバー４５Ｌ，４５Ｒの動作と連動しながら、先端のテーパ４５ａに沿ってスムーズに上昇する。そして、昇降部材４０と昇降レバー４５Ｌ，４５Ｒとの間の接触摩擦力を超える駆動力発生による急激な負荷変動が抑制され、チャック爪３５とディスク１２の急激な接触を回避することができ、ディスク１２の保持の際の騒音を低減することができる。
さらには、連結板４７が予め付勢バネ５０により常に連結板４７が時計方向に回動する方向に付勢されていることで、一連のディスク把持動作に関わる関連部材間のクリアランスを吸収した状態にあるため、関連部材のクリアランスによる影響がなくなり、一連のディスク把持動作の最終動作であるチャック爪３５とディスク１２との接触時に対する影響が騒音として出ることが無くなる。
【００３６】
一方、図７および図８に示すディスク保持状態からディスク１２を解除する場合、回動レバー２５が図３の矢印Ａ方向に回動を開始する。これにより、まず駆動レバー４９上に形成された図４に示すカム溝４９ｂと回動駆動軸２６により、駆動レバー４９をターンテーブル３１から離れる方向（図４中Ｑ方向））へ移動させる。これにより駆動レバー４９の先端に設けられたカム溝部４９ａと連結板４７の駆動軸４７ａの作用により、連結板４７は図７（Ａ）中の反時計方向へ回転し、連結板４７のギヤ部４７Ｌ，４７Ｒ、及び昇降レバー４５のギヤ部４５Ｌ，４５Ｒを介して昇降レバー４５Ｌ，４５Ｒをターンテーブル３１の中心方向（図７（Ａ）中矢印Ｒ方向）に向かってそれぞれ回転させる。
【００３７】
この回転動作により、昇降レバー４５Ｌ，４５Ｒは昇降部材４０とターンテーブル３１の間に割り込み、バネ４３の付勢力に反して昇降部材４０を回転モータ３９側（図８において下方）へ移動させる。このとき、昇降部材４０の押圧部３６ａは、チャック爪３５の基端部３５ａから離反するとともに、昇降部材４０の収納突起４４の係止部４４ａがチャック爪３５の背面に設けられた段付き溝部３５ｂと係合するため、チャック爪３５は支軸３４を回転支点として図８中矢印Ｘ２方向に回動する。これにより、チャック爪３５は、チャック爪装着窓３７の内部に収納され、ディスク１２の保持は解除される。さらに、回動レバー４９が回動を続けることで、サスシャーシ２１上に形成されたカム溝４９ｂにより、サスシャーシ２１は回動し、図５の状態に戻ることができる。
【００３８】
このような本発明の実施の形態の光ディスク装置１０によれば、昇降レバー４５Ｌ，４５Ｒを回動させる連結板４７が、付勢バネ５０により常にディスク１２を保持する方向に付勢するよう構成することにより、チャック爪３５とディスク１２の急激な接触を回避することができ、ディスク保持の際の騒音を低減することができる。さらに、連結板４７と一対の昇降レバー４５Ｌ，４５Ｒはそれぞれギヤ部４７Ｌ，４７Ｒ，４８Ｌ，４８Ｒを介して係合しているので、昇降レバー４５Ｌ，４５Ｒの動作するタイミングズレを防止することができる。
【００３９】
なお、駆動レバー４９の駆動源について本実施の形態においては図示していないが、専用の駆動源を設けてもよいし、専用の駆動源を用いる以外にも、例えば図２および図３に示したような光ディスク装置１０において、サスシャーシ２１を回動させる一連の動作駆動源を利用するようにしても良い。
【００４０】
また、本発明の実施の形態の光ディスク装置１０によれば、サスシャーシ２１上に形成された略Ｙ字状のカム溝２４と、駆動レバー４９上に形成された略Ｔ字状のカム溝４９ｂにより、回動レバー２５の回動駆動軸２６を介してサスシャーシ２１を回動する駆動力を、回動レバー２５の一連の動作で駆動レバーにも伝達することができるため、サスシャーシ２１の回動動作とクランプ機構に３０よるディスクの保持、解除の動作が可能となり、部品点数の削減及び装置の小型化を図るとともに動作タイミングのズレをなくし安定した再生書き込み動作を行うことができる。
【００４１】
なお、本発明は、前述したような複数枚のディスク１２を積層収容し、選択的にディスク１２の再生を行う光ディスク装置１０に限らず、ディスク１２を１枚ずつ挿入して再生するタイプの光ディスク装置にも同様に適用することができる。
【００４２】
以上、本発明の実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００４３】
以上のように、本発明に係る光ディスク装置は、昇降レバーを回動させる連結板が、付勢バネにより常にディスクを保持する方向に付勢するよう構成することにより、チャック爪とディスクの急激な接触を回避することができ、ディスク保持の際の騒音を低減することができるという効果を有し、ＣＤやＤＶＤ等の光ディスク装置に係わり、特に、ディスクのセンターホールをターンテーブル上に保持する光ディスク装置等として有用である。
【図面の簡単な説明】
【００４４】
【図１】本発明の実施の形態における光ディスク装置を内蔵したカーオーディオ装置を示す全体斜視図
【図２】本発明の実施の形態における光ディスク装置の図１中II−II位置から見た待機状態を示す平面図
【図３】本発明の実施の形態における光ディスク装置の図１中II−II位置から見た再生状態を示す平面図
【図４】（Ａ）本発明の実施の形態における光ディスク装置の演奏部の平面図  （Ｂ）本発明の実施の形態における光ディスク装置の演奏部の断面図
【図５】（Ａ）本発明の実施の形態における光ディスク装置のクランプ機構の平面図  （Ｂ）本発明の実施の形態における光ディスク装置の図５（Ａ）中Ｂ−Ｂ位置からみたクランプ機構の断面図
【図６】本発明の実施の形態における光ディスク装置のクランプ機構の要部拡大断面図
【図７】（Ａ）本発明の実施の形態における光ディスク装置のクランプ機構の平面図  （Ｂ）本発明の実施の形態における光ディスク装置の図７（Ａ）中Ｂ−Ｂ位置におけるクランプ機構の断面図  （Ｃ）図７（Ａ）の付勢バネ５０付近の拡大図
【図８】本発明の実施の形態における光ディスク装置のクランプ機構の要部拡大断面図
【図９】（Ａ）本発明の実施の形態における光ディスク装置のクランプ機構の突起部の平面図  （Ｂ）本発明の実施の形態における光ディスク装置のクランプ機構の図９（Ａ）中Ｂ方向から見た突起部の側面図  （Ｃ）本発明の実施の形態における光ディスク装置のクランプ機構の図９（Ａ）中Ｃ−Ｃ位置からみた突起部の断面図
【図１０】（Ａ）本発明の実施の形態における昇降部材の側面図  （Ｂ）本発明の実施の形態における昇降部材の断面図
【図１１】本発明の実施の形態における光ディスク装置の駆動レバーの平面図
【図１２】本発明の実施の形態における光ディスク装置のサスシャーシのカム溝部拡大図
【図１３】従来の光ディスク装置のクランプ機構によるディスクの非保持状態を示す断面図
【図１４】従来の光ディスク装置のクランプ機構によるディスクの保持状態を示す断面図
【符号の説明】
【００４５】
１０  光ディスク装置
１２  デイスク
１２ａ  記録面
１２ｂ  ラベル面
１２ｃ  中空部
１３  本体
３０  クランプ機構
３１  ターンテーブル
３５  チャック爪
４０  昇降部材
４５ａ  テーパ
４５Ｌ，４５Ｒ  昇降レバー
４７  連結板
４７Ｌ，４７Ｒ，４８Ｌ，４８Ｒ  ギヤ部
５０  付勢バネ
【図１】
2006202407.tif 000003
【図２】
2006202407.tif 000004
【図３】
2006202407.tif 000005
【図４】
2006202407.tif 000006
【図５】
2006202407.tif 000007
【図６】
2006202407.tif 000008
【図７】
2006202407.tif 000009
【図８】
2006202407.tif 000010
【図９】
2006202407.tif 000011
【図１０】
2006202407.tif 000012
【図１１】
2006202407.tif 000013
【図１２】
2006202407.tif 000014
【図１３】
2006202407.tif 000015
【図１４】
2006202407.tif 000016